(57)【要約】【課題】複数の圧力センサを用いた血圧測定において血圧測定値の信頼性を向上させる。【解決手段】電子血圧計は、測定部位に装着するカフと、カフに加える圧力を調整する圧力調整部１１１と、複数の圧力センサを含み、複数の圧力センサから出力される圧力情報に基づきカフ内のカフ圧を検出するための圧力検出手段と、血圧測定時において、圧力検出手段が検出するカフ圧の変化に基づき血圧を算出する血圧算出部１１２と、血圧測定時に圧力調整部１１１によってカフ圧を所定圧に保持する保持手段と、保持手段がカフ圧を所定圧に保持する状態において、複数の圧力センサから出力される圧力情報に従い、複数の圧力センサについて異常を検出するセンサ異常検出分１１３と、を備える。【選択図】図３
2011092512.tif 000002
【特許請求の範囲】
【請求項１】
測定部位に装着するカフと、
前記カフに加える圧力を調整する加圧・減圧手段と、
複数の圧力センサを含み、前記複数の圧力センサから出力される圧力情報に基づき前記カフ内のカフ圧を検出するための圧力検出手段と、
血圧測定時において、前記圧力検出手段が検出するカフ圧の変化に基づき血圧を算出する血圧算出手段と、
前記血圧測定時にカフ圧を所定圧に保持する保持手段と、
前記保持手段が前記カフ圧を前記所定圧に保持する状態において、前記複数の圧力センサから出力される圧力情報に従い、前記複数の圧力センサのうち少なくとも１つが異常であるか否かを検出する異常検出手段と、を備える、電子血圧計。
【請求項２】
前記血圧測定は、血圧測定を開始後に前記加圧・減圧手段によって前記カフを加圧する加圧過程と、前記カフを減圧する減圧過程と、前記加圧過程を終了後から前記減圧過程を開始するまでの移行期間とを含み、
前記保持手段は、前記加圧過程、前記減圧過程および前記移行期間の少なくとも１つにおいて、前記カフに加える圧力を前記所定圧に保持する、請求項１に記載の電子血圧計。
【請求項３】
前記所定圧は、前記加圧過程を終了時の前記カフ圧を指示する、請求項２に記載の電子血圧計。
【請求項４】
前記異常検出手段は、
前記複数の圧力センサから出力される前記圧力情報に従い、前記所定圧に保持されているか否かを検出する安定化検出手段を含み、
前記異常検出手段は、
前記安定化検出手段が前記所定圧に保持されていると検出したときに、前記複数の圧力センサから出力される前記圧力情報に従い、前記複数の圧力センサのうち少なくとも１つが異常であるか否かを検出する、請求項１から３のいずれかに記載の電子血圧計。
【請求項５】
前記安定化検出手段は、
前記複数の圧力センサのうちの１つから時系列に出力される複数時点の前記圧力情報の相互の差分を検出し、検出した差分に従い、前記所定圧に保持されているか否かを検出する、請求項４に記載の電子血圧計。
【請求項６】
前記安定化検出手段は、
前記複数時点において前記複数の圧力センサのうちの１つが出力する前記圧力情報に基づき代表圧力情報を検出し、
前記複数の圧力センサの少なくとも１つが出力する前記複数時点の前記圧力情報のうちから、前記代表圧力情報に基づき、前記差分を検出するための前記圧力情報を抽出する、請求項５に記載の電子血圧計。
【請求項７】
前記安定化検出手段は、
前記複数の圧力センサから時系列に出力される複数時点の前記圧力情報に基づき、前記圧力情報の差分を複数時点それぞれにおいて検出し、検出した差分どうしの差に従い、前記所定圧に保持されているか否かを検出する、請求項４に記載の電子血圧計。
【請求項８】
前記安定化検出手段は、
前記複数時点において前記複数の圧力センサが出力する前記圧力情報に基づき代表圧力情報を検出し、
前記複数の圧力センサが出力する前記複数時点の前記圧力情報のうちから、前記代表圧力情報に基づき、前記差分を検出するための前記圧力情報を抽出する、請求項７に記載の電子血圧計。
【請求項９】
前記異常検出手段が、前記複数の圧力センサのうち少なくとも１つについて異常を検出したとき、前記血圧測定を中止する、請求項１から８のいずれかに記載の電子血圧計。
【請求項１０】
記憶部を、さらに備え、
前記異常検出手段が前記複数の圧力センサのうち少なくとも１つについて異常であるか否かを検出する毎に、検出の結果を前記記憶部に格納し、
前記血圧測定の開始時に、前記記憶部から読出された前記検出の結果が異常を指示すると判定したとき、前記血圧測定を中止し、読出された前記検出の結果を出力する、請求項１から９のいずれかに記載の電子血圧計。
【請求項１１】
前記電子血圧計は、前記異常検出手段による検出の結果を出力する、請求項１から１０のいずれかに記載の電子血圧計。
【請求項１２】
前記異常検出手段が、前記複数の圧力センサのうち少なくとも１つについて異常を検出したとき、前記血圧測定を終了後に、前記異常検出手段による検出の結果を出力する、請求項１から１０のいずれかに記載の電子血圧計。
【請求項１３】
前記血圧算出手段が算出した前記血圧のデータと、前記血圧のデータに対応付けて前記異常検出手段による検出の結果とが格納されるデータ格納部を、さらに備え、
前記データ格納部の前記血圧のデータのうち、対応の前記検出の結果が異常を指す前記血圧のデータは、統計量の算出のために用いられるべき血圧のデータからは除外される、請求項１から１０のいずれかに記載の電子血圧計。
【請求項１４】
前記安定化検出手段が前記所定圧に保持されていると検出しないときは、その旨を報知する、請求項４から８のいずれかに記載の電子血圧計。
【請求項１５】
前記安定化検出手段が前記所定圧に保持されていると検出しないときは、前記加圧・減圧手段により前記カフを加圧した後に、再度、前記所定圧に保持されているか否かを検出する、請求項４から８のいずれかに記載の電子血圧計。
【発明の詳細な説明】
【技術分野】
【０００１】
この発明は、電子血圧計に関し、特に血圧測定値の信頼性を向上させる電子血圧計に関する。
【背景技術】
【０００２】
血圧は循環器疾患を解析する指標の一つである。血圧に基づいて循環器疾患のリスク解析を行うことは、たとえば脳卒中や心不全や心筋梗塞などの心血管系の疾患の予防に有効である。特に、早朝に血圧が上昇する早朝高血圧は心臓病や脳卒中などに関係している。さらに、早朝高血圧の中でも、モーニングサージと呼ばれる起床後１時間から１時間半ぐらいの間に急激に血圧が上昇する症状は、脳卒中との因果関係があることが判明している。そこで、時間（生活習慣）と血圧変化の相互関係を把握することが、心血管系の疾患のリスク解析に有用である。したがって、長期間にわたり、連続的に血圧測定することが必要となってきている。
【０００３】
また、近年の研究成果により、病院や健康診断時に測定する血圧（随時血圧）よりも、家庭で測定した家庭血圧が、より心血管系疾患の予防・診断・治療に有効であることが判明してきている。これにともない、家庭向け血圧計が広く普及し、家庭血圧値を診断に使用する動きも始まっている。
【０００４】
血圧計による測定精度を向上させるために、特許文献１に開示の発明によれば、血圧測定のための圧力センサの特性に依存した測定値の誤差を補正するための処理が、電子血圧計の生産時点で行なわれている。
【先行技術文献】
【特許文献】
【０００５】
【特許文献１】特開平７−５１２３３号公報
【発明の概要】
【発明が解決しようとする課題】
【０００６】
特許文献１では、電子血圧計の生産時点で個別の電子血圧計における特性の相違に依拠して、圧力センサに関する補正をするが、病院等医療施設で用いる血圧計とは異なり、家庭向け血圧計は購入したあとは、故障したときなど特定の状況を除き、定期的な校正は行われないのが一般的である。そのため、たとえば、血圧測定に最も重要な圧力センサの出力が、規定されている許容差以上にずれていたとしても、その現象を知る方法はなく、血圧測定値が正しいかどうかは不明であった。そのため、血圧測定値が通常の血圧値や随時血圧と大きく異なっていても、真に血圧値が異なっているのか、血圧計の圧力センサの誤差により異なっているのかが不明であり、使用者に不安を与える一因となっていた。
【０００７】
また、一部の医療施設向けの血圧計では、２個の圧力センサを搭載し、これら圧力センサの出力に基づき圧力の監視を行うものがある。しかしながらこの血圧計においては、２個の圧力センサの機能は別の目的に用いられていた。つまり、一方の圧力センサで得られるカフ圧情報で血圧を算出し、他方の圧力センサの出力に基づき異常検出を行っていた。具体的には、圧力センサの検出圧力値が、たとえば３００ｍｍＨｇを大きく超えたときに異常を検出する。この場合にはポンプを停止し、弁を開放して、安全が確保される。したがって、他方の圧力センサは、医療規格ＩＥＣ６０６０１−２−３０に規定される安全対策のために適用されるものであり、血圧測定に使用する一方の圧力センサの精度を保証するものではなかった。
【０００８】
それゆえに、この発明の目的は、複数の圧力センサを用いた血圧測定において血圧測定値の信頼性を向上させることのできる電子血圧計を提供することである。
【０００９】
この発明の他の目的は、異常検出モードを設けることなく、血圧測定中に圧力センサの異常を検出することができる電子血圧計を提供することである。
【課題を解決するための手段】
【００１０】
この発明のある局面に従う電子血圧計は、測定部位に装着するカフと、カフに加える圧力を調整する加圧・減圧手段と、複数の圧力センサを含み、複数の圧力センサから出力される圧力情報に基づきカフ内のカフ圧を検出するための圧力検出手段と、血圧測定時において、圧力検出手段が検出するカフ圧の変化に基づき血圧を算出する血圧算出手段と、血圧測定時にカフ圧を所定圧に保持する保持手段と、保持手段がカフ圧を所定圧に保持する状態において、複数の圧力センサから出力される圧力情報に従い、複数の圧力センサのうち少なくとも１つが異常であるか否かを検出する異常検出手段と、を備える。
【００１１】
好ましくは、血圧測定は、血圧測定を開始後に加圧・減圧手段によってカフを加圧する加圧過程と、カフを減圧する減圧過程と、加圧過程を終了後から減圧過程を開始するまでの移行期間とを含み、保持手段は、加圧過程、減圧過程および移行期間の少なくとも１つにおいて、カフに加える圧力を所定圧に保持する。
【００１２】
好ましくは、所定圧は、加圧過程を終了時のカフ圧を指示する。
好ましくは、異常検出手段は、複数の圧力センサから出力される圧力情報に従い、所定圧に保持されているか否かを検出する安定化検出手段を含み、異常検出手段は、安定化検出手段が所定圧に保持されていると検出したときに、複数の圧力センサから出力される圧力情報に従い、複数の圧力センサのうち少なくとも１つが異常であるか否かを検出する。
【００１３】
好ましくは、安定化検出手段は、複数の圧力センサのうちの１つから時系列に出力される複数時点の圧力情報の相互の差分を検出し、検出した差分に従い、所定圧に保持されているか否かを検出する。
【００１４】
好ましくは、安定化検出手段は、複数時点において複数の圧力センサのうちの１つが出力する圧力情報に基づき代表圧力情報を検出し、複数の圧力センサの少なくとも１つが出力する複数時点の圧力情報のうちから、代表圧力情報に基づき、差分を検出するための圧力情報を抽出する。
【００１５】
好ましくは、安定化検出手段は、複数の圧力センサから時系列に出力される複数時点の圧力情報に基づき、圧力情報の差分を複数時点それぞれにおいて検出し、検出した差分どうしの差に従い、所定圧に保持されているか否かを検出する。
【００１６】
好ましくは、安定化検出手段は、複数時点において複数の圧力センサが出力する圧力情報に基づき代表圧力情報を検出し、複数の圧力センサが出力する複数時点の圧力情報のうちから、代表圧力情報に基づき、差分を検出するための圧力情報を抽出する。
【００１７】
好ましくは、異常検出手段が、複数の圧力センサのうち少なくとも１つについて異常を検出したとき、血圧測定を中止する。
【００１８】
好ましくは、記憶部を、さらに備え、異常検出手段が複数の圧力センサのうち少なくとも１つについて異常であるか否かを検出する毎に、検出の結果を記憶部に格納し、血圧測定の開始時に、記憶部から読出された検出の結果が異常を指示すると判定したとき、血圧測定を中止し、読出された検出の結果を出力する。
【００１９】
好ましくは、電子血圧計は、異常検出手段による検出の結果を出力する。
好ましくは、異常検出手段が、複数の圧力センサのうち少なくとも１つについて異常を検出したとき、血圧測定を終了後に、異常検出手段による検出の結果を出力する。
【００２０】
好ましくは、電子血圧計は、血圧算出手段が算出した血圧のデータと、血圧のデータに対応付けて異常検出手段による検出の結果とが格納されるデータ格納部をさらに備え、データ格納部の血圧のデータのうち、対応の検出の結果が異常を指す血圧のデータは、統計量の算出のために用いられるべき血圧のデータからは除外される。
【００２１】
好ましくは、安定化検出手段が所定圧に保持されていると検出しないときは、その旨を報知する。
【００２２】
好ましくは、安定化検出手段が所定圧に保持されていると検出しないときは、加圧・減圧手段によりカフを加圧した後に、再度、所定圧に保持されているか否かを検出する。
【発明の効果】
【００２３】
本発明によれば、複数の圧力センサを用いて検出するカフ圧に基づいて、血圧測定の過程において、カフ圧を所定圧に保持した状態で検出した圧力情報に基づき、複数の圧力センサのうち少なくとも１つについて異常の検出を行なう。これにより、正確な異常検出が可能となり、また、血圧測定とは別途に、異常検出モードを設ける必要がなく、血圧測定中に異常検出を行うことができる。
【図面の簡単な説明】
【００２４】
【図１】実施の形態に係る電子血圧計の外観図である。
【図２】実施の形態に係る電子血圧計のハードウェア構成図である。
【図３】実施の形態に係る電子血圧計の機能構成図である。
【図４】（Ａ）と（Ｂ）は、実施の形態に係る血圧算出の手順を説明する図である。
【図５】実施の形態に係る血圧測定時の圧力センサの異常検出のタイミングを示すグラフである。
【図６】実施の形態に係るカフ圧信号の安定期間を説明する図である。
【図７】（Ａ）〜（Ｃ）は、圧力センサの出力の差分のばらつきと、基準値との比較を説明する図である。
【図８】（Ａ）と（Ｂ）は、圧力センサの出力の差分のばらつきの他の例と、基準値との比較を説明する図である。
【図９】血圧測定の加圧過程終了時にセンサの異常検出をする手順のフローチャートである。
【図１０】血圧測定の加圧過程で血圧算出する場合に圧力センサの異常検出をする手順のフローチャートである。
【図１１】血圧測定の加圧過程で血圧算出する場合に圧力センサの異常検出をする他の手順のフローチャートである。
【図１２】血圧測定の減圧過程で血圧算出する場合にセンサの異常検出をする手順のフローチャートである。
【図１３】血圧測定の減圧過程で血圧算出する場合にセンサの異常検出をする他の手順のフローチャートである。
【図１４】血圧測定の加圧または減圧過程において再加圧をした後に圧力センサの異常検出をする手順のフローチャートである。
【図１５】血圧測定の減圧過程において圧力センサの異常検出のリトライをする手順のフローチャートである。
【図１６】実施の形態に係る表示の一例を説明する図である。
【図１７】手首式電子血圧計の外観を示す図である。
【発明を実施するための形態】
【００２５】
以下、この発明の各実施の形態について図面を参照して詳細に説明する。なお、各図中、同一符号は同一または相当部分を指し、その説明は繰返さない。
【００２６】
本実施の形態では、測定部位を上腕とし、オシロメトリック法で血圧を算出し、圧力センサが複数個搭載されている電子血圧計を説明する。なお、血圧算出のために適用される方法は、オシロメトリック法に限定されない。
【００２７】
図１には、この発明の実施の形態に係る電子血圧計１の外観が示され、図２には、電子血圧計のハードウェア構成が示される。図１と図２を参照して、電子血圧計１は、本体部１０と、被測定者の上腕に巻付け可能なカフ２０とを備える。カフ２０は、空気袋２１を含む。本体部１０の表面には、たとえば液晶などにより構成される表示部４０と、ユーザ（被測定者）からの指示を受付けるための複数のスイッチからなる操作部４１とが配置されている。
【００２８】
本体部１０は、上述の表示部４０および操作部４１に加え、各部を集中的に制御し各種の演算処理を行なうためのＣＰＵ（Central Processing Unit）１００と、ＣＰＵ１００
に所定の動作をさせるためのプログラムやデータを記憶するための処理用のメモリ４２と、測定した血圧データなどを格納するためのデータ格納用のメモリ４３と、本体部１０の各部に電力を供給するための電源４４と、現在時間を計時して計時データをＣＰＵ１００に出力するタイマ４５とを含む。
【００２９】
操作部４１は、電源をＯＮまたはＯＦＦするための指示の入力を受付ける電源スイッチ４１Ａと、測定開始の指示を受付けるための測定スイッチ４１Ｂと、測定停止の指示を受付けるための停止スイッチ４１Ｃと、メモリ４３に格納された血圧データなどの情報をメモリ４３から読出し表示部４０に表示する指示を受付けるためのメモリスイッチ４１Ｄと、タイマ４５をセットするために操作されるタイマセットスイッチ４１Ｅとを有する。
【００３０】
本体部１０は、さらに、ポンプ５１および排気弁（以下、弁という）５２を含むカフ圧の調整機構を有する。
【００３１】
ポンプ５１、弁５２および空気袋２１内の圧力（カフ圧）を検出するための第１および第２の圧力センサ３２１および３２２からなるエア系は、エアチューブ３１を介して、カフ２０に内包される空気袋２１と接続される。
【００３２】
本体部１０は、さらに、上述したエア系と、カフ圧の調整機構と、第１および第２発振回路３３１および３３２と、を含む。カフ圧の調整機構は、ポンプ５１および弁５２のほか、ポンプ駆動回路５３と弁駆動回路５４とを有する。
【００３３】
ポンプ５１は、カフ圧を加圧するために、空気袋２１に空気を供給する。弁５２は、空気袋２１の空気を排出しまたは封入するために開閉される。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００３４】
第１および第２圧力センサ３２１および３２２は、静電容量型の圧力センサであり、検出するカフ圧に応じて容量値が変化する。第１および第２発振回路３３１および３３２のそれぞれは、対応する圧力センサに接続されて、対応の圧力センサの容量値に基づき発振する。これにより、対応する圧力センサの容量値に応じた周波数を有する信号（以下、周波数信号という）をＣＰＵ１００に出力する。ＣＰＵ１００は、第１発振回路３３１または第２発振回路３３２から入力する周波数信号を圧力に変換することによって、圧力を検知する。ここでは、ＣＰＵ１００は、第１発振回路３３１と第２発振回路３３２から、周波数信号をタイミングをずらし交互に入力すると想定する。
【００３５】
図３には、電子血圧計１の機能構成が示される。図３を参照し、ＣＰＵ１００は、圧力調整部１１１、血圧算出部１１２、センサ異常検出部１１３、記録部１１４および表示処理部１１５を備える。
【００３６】
圧力調整部１１１はポンプ駆動回路５３および弁駆動回路５４を介してポンプ５１および弁５２を制御し、エアチューブ３１を介して空気袋２１内に空気を流入・排出することにより、カフ圧を調整する。これらの各部の機能は、全部または一部が対応するプログラム・データをＣＰＵ１００がメモリ４２から読出し、その命令を実行することにより実現されると想定する。
【００３７】
血圧算出部１１２は第１発振回路３３１または第２発振回路３３２から入力する周波数信号（この周波数信号は圧力情報信号を指示する）に基づき脈波振幅情報を検出し、検出した脈波振幅情報に基づきオシロメトリック法に従い最高血圧に相当する収縮期血圧ＳＹＳ（ＳＹＳ：Systolic Blood Pressureの略）および最低血圧に相当する拡張期血圧ＤＩＡ（ＤＩＡ：Diastolic Blood Pressureの略）を算出し、ならびに検出した脈波振幅情報に基づき所定時間当たりの脈拍数を算出する。具体的には、圧力調整部１１１によりカフ圧を所定値まで徐々に加圧（または減圧）させる過程において、第１発振回路３３１または第２発振回路３３２から入力するカフ圧に基づいて脈波振幅情報を検出し、検出した脈波振幅情報に基づき被測定者の収縮期血圧および拡張期血圧を算出する。血圧算出部１１２によるオシロメトリック法に従う血圧の算出および脈拍の算出は、従来から知られている方法を適用することができる。
【００３８】
センサ異常検出部１１３は、第１発振回路３３１および第２発振回路３３２から出力される周波数信号を入力し、入力した信号を解析することにより、第１圧力センサ３２１および第２圧力センサ３２２の異常を検出する。
【００３９】
センサ異常検出部１１３は、カフ圧の加圧過程において異常検出をするための加圧時検出部１１３１、カフ圧の減圧過程において異常検出をするための減圧時検出部１１３２、加圧過程終了時において異常検出をするための加圧終了時検出部１１３３、異常検出時における検出カフ圧が安定状態であることを検出するための安定化検出部１１３４、カフ圧が安定していない場合に再度加圧を要求するための再加圧要求部１１３５、カフ圧が安定していない場合に再度の異常検出を行なうための再検出部１１３６、およびカフ圧と基準値の比較結果に基づき圧力センサの異常の有無を検出する異常検出部１１３７を有する。
【００４０】
記録部１１４はメモリ４３のデータを読出し、またはメモリ４３に書込む機能を有する。具体的には、血圧算出部１１２からの出力データを入力し、入力したデータ（血圧測定データ）をメモリ４３の所定記憶領域に格納する。さらに、センサ異常検出部１１３からの出力データを入力し、入力したデータ（圧力センサの異常の検出結果）をメモリ４３の所定記憶領域に格納する。また記録部１１４は、操作部４１のメモリスイッチ４１Ｄの操作に基づきメモリ４３の所定記憶領域から測定データを読出し表示処理部１１５に出力する。
【００４１】
表示処理部１１５は、与えられるデータを入力し、表示可能な形式に変換して表示部４０に表示する。
【００４２】
図３ではＣＰＵ１００の周辺回路について、ＣＰＵ１００と直接に入出力する部分のみを示している。
【００４３】
次に、各部の動作について、図４〜図１８を参照して説明する。図９〜図１５のフローチャートは予めプログラムとしてメモリ４２に格納されており、ＣＰＵ１００がメモリ４２からプログラムを読出し実行することにより、各部の処理が実現される。
【００４４】
（血圧算出手順）
本実施の形態におけるオシロメトリック法による血圧算出方法の概念を説明する。図４（Ａ）には、徐々に減圧されるカフ圧がタイマ４５が計時する時間軸に沿って示される。図４（Ｂ）には、同一の時間軸に沿って、上述の脈波振幅情報に対応する脈波振幅の包絡線６００が示される。脈波振幅の包絡線６００は圧力センサからの信号（カフ圧）に重畳した脈波振幅信号を時系列に抽出することにより検出される。
【００４５】
図４（Ａ）と（Ｂ）を参照して、血圧算出部１１２は、脈波振幅の包絡線６００において振幅の最大値ＭＡＸを検出すると、その最大値に所定の定数（たとえば０．７および０．５）を乗じて２つの閾値TH_DBPおよびTH_SBPを算出する。そして、最大値ＭＡＸが検出された時点Ｔ０のカフ圧ＭＡＰ（平均血圧）よりもカフ圧が低い側において、閾値TH_DBPと包絡線６００とが交わった点におけるカフ圧を拡張期血圧ＤＩＡとして算出する。また、カフ圧ＭＡＰよりもカフ圧が高い側において、閾値TH_SBPと包絡線６００とが交わった点におけるカフ圧を収縮期血圧ＳＹＳとして算出する。
【００４６】
これは、減圧過程における血圧算出を説明するものであるが、加圧過程においても脈波振幅の包絡線６００を検出して、同様の手順に従って、収縮期血圧ＳＹＳおよび拡張期血圧ＤＩＡを算出することが可能である。
【００４７】
（センサ異常の判断方法）
血圧測定値の信頼性を向上させるために、血圧測定の過程において、センサ異常検出部１１３は、第１および第２発振回路３３１および３３２から入力する周波数信号をカフ圧ａおよびｂに変換し、変換して得られたカフ圧ａとｂを比較し、比較結果に基づき、その差分が後述する基準値β（たとえば５ｍｍＨｇ）を超えていると判定した場合には、一方の圧力センサは異常であると判断する。
【００４８】
また、３台以上の圧力センサを用いる場合には、同様に変換して得られた３個以上のカフ圧の最大値と最小値の差を算出して、算出した差が基準値βを超えていると判定した場合には、いずれかの圧力センサは異常であると判断する。
【００４９】
センサ異常検出部１１３によっていずれかの圧力センサが異常であると判断された場合には、血圧算出部１１２は、当該判断結果に基づき、算出した血圧測定データを表示・記録に使用しない、すなわち破棄することで、血圧測定値の信頼性を向上させることができる。また、破棄するのに代替して、圧力センサが異常であることを指示する情報（メッセージ）とともに、血圧測定データを表示部４０に表示してもよい（後述の図１６を参照）。また、圧力センサが異常であることを指示するフラグと対応付けて当該血圧測定データを、メモリ４３に格納するようにしてもよい。
【００５０】
被測定者の血圧がたとえば高血圧のカテゴリに属するか否かを判断するための統計量を算出するためにメモリ４３の血圧測定データを用いる場合には、メモリ４３に格納された血圧測定データのうち、当該フラグが対応付けされた血圧測定データは、当該算出のための対象データから除外するようにしてもよい。
【００５１】
また、センサ異常検出部１１３が検出動作をする毎に、検出結果（異常／正常）のデータ４３１をメモリ４３の所定領域に上書きによって格納する。そして、スイッチ４１Ｂが操作されて血圧測定の開始が指示されると、ＣＰＵ１００はメモリ４３からデータ４３１を読出し、読出されたデータ４３１が異常を指示すると判定したときは、血圧測定を中止して読出されたデータ４３１を表示部４０に表示するが、異常を指示しない（正常を指示する）と判定したときは、血圧測定のための加圧を開始させるようにしてもよい。
【００５２】
（圧力センサの異常検出のタイミング）
本実施の形態では、センサ異常検出部１１３による圧力センサの異常を検出するための工程が、血圧測定の過程において実施されることにより、別途、異常検出の工程を設ける必要がないとの利点がある。
【００５３】
図５には、血圧測定時のカフ圧Ｐｃの時間経過に伴う変化が模式的に示される。血圧測定時には、カフ２０が測定部位に巻付けられると、測定開始スイッチ４１Ｂの操作に応答して、カフ圧Ｐｃについて加圧が開始される。加圧が開始されると、カフ圧Ｐｃは徐々に上昇し、加圧終了圧ＰＥに達するまで加圧が実施される。これを加圧過程と呼ぶ。
【００５４】
加圧終了圧ＰＥに達した後には、弁５２が開いてカフ２０内から空気が徐々に排気されることにより、減圧過程に移行する。減圧過程においても、拡張期血圧ＤＩＡと収縮期血圧ＳＹＳが検出（算出）される。
【００５５】
本実施の形態では、圧力センサの異常検出は、加圧過程および減圧過程のそれぞれにおいて、拡張期血圧ＤＩＡよりも低いカフ圧Ｐｃ（図５の圧力Ｐ１とＰ４参照）と、収縮期血圧ＳＹＳよりも高く加圧終了圧ＰＥよりも低いカフ圧Ｐｃ（図５の圧力Ｐ２とＰ３）が検出される時点において実施される。さらに、加圧過程終了後から減圧過程開始までの期間において実施される。本実施の形態では、圧力センサの異常検出は、これらの時点・期間のいずれか１つ以上において実施されると想定する。
【００５６】
ここでは、加圧終了圧ＰＥは、収縮期血圧ＳＹＳの＋４０ｍｍＨｇの値とし、圧力Ｐ３は加圧終了圧ＰＥよりも２０ｍｍＨｇ減圧された値とし、圧力Ｐ４は拡張期血圧ＤＩＡよりも２０ｍｍＨｇ減圧された値としている。
【００５７】
（カフ圧Ｐｃが安定していることの検出）
本実施の形態では、圧力センサの異常を検出するときは、カフ圧が一定となるように制御して、安定化検出部１１３４が、一定であると検出した場合において異常検出を実施する。これにより、異常検出の精度を維持することができる。
【００５８】
図５〜図７を参照して、加圧過程を終了し、減圧過程に移行開始するまでの期間（以下、移行期間ともいう）を例示して、安定化検出部１１３４がカフ圧が一定であることを検出する手順について説明する。
【００５９】
安定化検出部１１３４は、圧力調整部１１１の出力信号に基づき、移行期間を検出する。すなわち、圧力調整部１１１がポンプ駆動回路５３に停止信号を出力してポンプ５１を停止させ（すなわち、加圧過程を終了し）、その後、弁駆動回路５４に信号を出力し、閉じていた弁５２を開く（すなわち、減圧過程に移行開始する）までの期間を検出する。移行期間では、ポンプ５１は停止し弁５２は全閉であるのでカフ圧は一定となる。
【００６０】
移行期間において、安定化検出部１１３４は、タイマ４５の計時データに基づく所定間隔毎に（図６の複数の異なるタイミングＰＰ１、ＰＰ２、ＰＰ３のそれぞれにおいて）、第１発振回路３３１からの入力信号に基づき第１圧力センサ３２１が検出するカフ圧を算出し、続いて、第２発振回路３３２からの入力信号に基づき第２圧力センサ３２２が検出するカフ圧を算出する。そして、各タイミングにおいて、検出した第１および第２圧力センサのカフ圧どうしの差分を検出する。そして、各タイミングで検出した差分どうしの差とメモリ４３から読出した閾値α（図７参照）を比較する。閾値αは圧力センサの異常検出動作を許可するか否かの許容範囲の値、すなわちカフ圧が安定しているか否かを指示する。したがって、比較結果、各タイミングで検出した差分どうしの差が、閾値αの許容範囲を超えないと判断した場合には（図７（Ｂ)参照）、移行期間においてカフ圧は一定であることが検出される。一定であると検出されると、圧力センサの異常検出の処理が開始される。
【００６１】
一方、移行期間において被測定者の体動などによりカフ圧が変動すれば（図７（Ｃ）の破線部）、差分どうしの差が閾値αの許容範囲を超えてしまい（図７（Ａ）参照）、カフ圧は安定していないと検出されて、圧力センサの異常検出の処理は開始されない。
【００６２】
なお、安定していないと検出された場合でも、再度、安定化検出部１１３４がカフ圧の安定化を検出するようにしてもよい。
【００６３】
上述の安定化検出部１１３４によるカフ圧安定の検出は、図５の圧力Ｐ１、Ｐ２、Ｐ３およびＰ４のそれぞれにおいても、同様の手順で実施される。
【００６４】
上記では、第１圧力センサ３２１と第２圧力センサ３２２の両方のカフ圧を用いてカフ圧安定を検出するが、いずれか一方の圧力センサから検出されるカフ圧を用いて安定を検出するようにしてもよい。つまり、一方の圧力センサからタイミングＰＰ１、ＰＰ２、ＰＰ３のそれぞれにおいてカフ圧を検出し、検出したカフ圧のタイミング間の差分が所定値を超えない場合には、安定していると検出するようにしてもよい。
【００６５】
上述の安定化状態の検出精度を向上させるために、図８の手順を用いて、次のようにしてもよい。
【００６６】
図８（Ｂ）のように移行期間であっても大きな外乱（体動、脈波）による振幅がカフ圧信号に重畳する場合には、第１圧力センサ３２１と第２圧力センサ３２２から検出されるカフ圧の値は大きくばらつく。そこで、安定化検出部１１３４は、時系列に入力する第１および第２圧力センサ３２１と３２２のカフ圧の全てについて代表値として平均値を算出する。そして、その平均値を含む所定範囲の閾値γと、第１圧力センサ３２１と第２圧力センサ３２２から検出される各カフ圧の値とを比較する。比較結果に基づき、カフ圧値が閾値γ内に収まるか否かを検出する。検出結果、閾値γを超えると判定されたカフ圧値は、図８（Ａ）に示した安定化検出のために参照するカフ圧値からは除外する。これにより、極端に大きいカフ圧または小さいカフ圧は安定化検出のための参照値から除外される。これにより、第１圧力センサ３２１と第２圧力センサ３２２が出力する複数時点のカフ圧値のうちから、代表値に基づき、安定化検出のために参照するべきカフ圧値、換言すると差分を検出するために用いるべきカフ圧値を選択的に抽出することができる。その結果、安定化の検出精度を高くすることができる。
【００６７】
ここでは、代表値として平均値を検出するが、中央値（メディアン値）であってもよい。
【００６８】
上記では、第１圧力センサ３２１と第２圧力センサ３２２の両方のカフ圧から代表値を検出するが、いずれか一方から検出されるカフ圧を用いて代表値を検出してもよい。その場合には、一方の圧力センサから時系列に検出されるカフ圧値のうち極端に大きいカフ圧値または小さいカフ圧値は、検出した代表値を用いて除外される。これにより、一方の圧力センサが出力する複数時点のカフ圧値のうちから、代表値に基づき、安定化検出のために参照するべきカフ圧値、換言すると差分を検出するために用いるべきカフ圧値を選択的に抽出することができる。その結果、安定化の検出精度を高くすることができる。
【００６９】
（圧力センサの異常検出）
上述の移行期間において、カフ圧安定の状態が検出されると、加圧終了時検出部１１３３は、閾値αの範囲内にある差分値のそれぞれと、メモリ４３から読出した基準値β（図７（Ａ）と（Ｂ）参照）とを比較する。なお、一方の圧力センサのみを用いて安定化状態を検出した場合には、異常検出時には両方の圧力センサの値を検出し、検出した値を比較する。比較結果に基づき、全ての差分値が基準値βを超えていると判定すると、第１および第２圧力センサ３２１および３２２の少なくとも一方は異常であると検出する。ここで、基準値βは、第１および第２圧力センサ３２１および３２２の故障などの異常を検出するための差分の閾値を指す。
【００７０】
ここでは、閾値αとβは予め実験などにより検出されていると想定する。
（再加圧および再検出について）
移行期間ではない、減圧過程（血圧算出前）および加圧過程では、圧力センサの異常検出時において安定化検出部１１３４により、被測定者の体動などによりカフ圧が安定していないと検出されると、当該検出信号に応答して圧力調整部１１１はポンプ駆動回路５３を制御して、停止していたポンプ５１を回転させる。これにより、カフ圧が再度、加圧される。その後、安定化検出部１１３４により、再度、カフ圧安定の検出が行われる。つまり、減圧過程（血圧算出前）のカフ圧Ｐ３において体動による振幅（図５の破線ＰＸ参照）が検出されると、再加圧が行われた後に、カフ圧の安定化検出が再度行われる。
【００７１】
また、減圧過程の血圧算出が終了した後の圧力センサの異常検出時において、安定化検出部１１３４により、被測定者の体動などによりカフ圧が安定していないと検出された場合には、当該検出信号に応答して圧力調整部１１１は弁駆動回路５４を制御して、閉じていた弁５２を開けて、所定圧だけ減圧した後に、安定化検出部１１３４により、再度、カフ圧安定の検出が行われる。つまり、減圧過程（血圧算出後）のタイミングＰ４において体動による振幅（図５の破線ＰＹ参照）が検出されると、減圧が行われた後に、カフ圧の安定化検出が再度行われる。
【００７２】
なお、ここでは再度の安定化検出のために再加圧・再検出をしているが、安定化を検出できない場合には、その旨を表示部４０などに表示して、体動を防止するために被測定者に安静を促すメッセージを表示してもよい。
【００７３】
（血圧測定処理）
血圧測定処理について、圧力センサの異常を検出するタイミングについて場合分けをしながら説明する。
【００７４】
＜加圧過程の終了時に圧力センサの異常検出をする場合＞
図９を参照して、上述の移行期間において圧力センサ異常検出を実施する手順について説明する。
【００７５】
まず、被測定者が電源スイッチ４１Ａを操作（押す）すると（ステップＳＴ１）、ＣＰＵ１００は、図示のない作業用メモリを初期化する（ＳＴ２）。
【００７６】
続いて、第１および第２圧力センサ３２１および３２２の０ｍｍＨｇの調整を行う（ＳＴ３）。
【００７７】
ここで、被測定者は、カフ２０を図１のように測定部位に巻付けて装着する。カフ２０を巻きつけた後、被測定者は測定スイッチ４１Ｂを操作（押す）すると（ステップＳＴ４）、圧力調整部１１１はポンプ駆動回路５３および弁駆動回路５４に制御信号を出力する。ポンプ駆動回路５３および弁駆動回路５４は制御信号に基づき弁５２を閉鎖した後に、ポンプ５１を駆動する。これにより、圧力調整部１１１は、第１圧力センサ３２１から検出されるカフ圧とメモリ４２から読出した加圧終了圧ＰＥとを比較しながら、比較結果に基づき、カフ圧を加圧終了圧ＰＥまで徐々に加圧する（ステップＳＴ５、ＳＴ６）。
【００７８】
加圧終了圧ＰＥまで加圧した後（ステップＳＴ６で≧加圧終了圧）、圧力調整部１１１はポンプ駆動回路５３および弁駆動回路５４に制御信号を出力する。ポンプ駆動回路５３および弁駆動回路５４は制御信号に基づきポンプ５１を停止する（ステップＳＴ７）。これにより、移行期間においてカフ圧は一定に保持される。
【００７９】
続いて、安定化検出部１１３４において、移行期間における前述したカフ圧安定の有無が検出されて、カフ圧は安定しておらず、または加圧終了時検出部１１３３により圧力センサは異常であると検出されると（ステップＳＴ８ａ、ステップＳＴ９でＹＥＳ）、圧力調整部１１１は弁駆動回路５４に制御信号を出力し、弁５２を全開とする（ステップＳＴ１０）。これにより、カフ２０からは空気が急速に排気されて、一連の処理は終了する。
【００８０】
カフ圧が安定した状態において、加圧終了時検出部１１３３が圧力センサは異常なしと判定すると（ステップＳＴ９でＮＯ）、減圧過程に移行し、血圧を算出する。
【００８１】
具体的には、圧力調整部１１１は弁駆動回路５４に制御信号を出力し、弁５２を徐々に開くように制御する。これにより、カフ圧は徐々に減圧していく（ステップＳＴ１１）。
【００８２】
この減圧過程において、血圧算出部１１２は第１発振回路３３１または第２発振回路３３２から出力される周波数信号に基づき、すなわち第１圧力センサ３２１または第２圧力センサ３２２によって検出されたカフ圧信号に基づき脈波振幅情報を検出し、検出した脈波振幅情報に所定の演算を行う。この演算により収縮期血圧ＳＹＳおよび拡張期血圧ＤＩＡが算出される（ステップＳＴ１２、ＳＴ１３）。脈波振幅情報は、測定部位の動脈の容積変化成分を表し、検出するカフ圧信号に含まれる。
【００８３】
収縮期血圧ＳＹＳ・拡張期血圧ＤＩＡが算出されて決定すると（ステップＳＴ１３でＹＥＳ）、圧力調整部１１１は弁駆動回路５４を介して弁５２を全開にし、カフ２０内の空気を急速排気する（ステップＳＴ１４）。
【００８４】
血圧算出部１１２により算出された血圧のデータは、表示処理部１１５と記録部１１４に出力される。表示処理部１１５は血圧データを入力して、表示部４０に表示する（ステップＳＴ１５）。また、記録部１１４は血圧データを入力し、タイマ４５から入力する時間データを関連付けて、メモリ４３の所定記憶領域に格納する（ステップＳＴ１６）。
【００８５】
なお、血圧算出部１１２は検出される脈波振幅情報に基づき脈拍数を算出することもできる。算出された脈拍数は表示処理部１１５により表示部４０に表示されるとともに、記録部１１４により血圧データと関連付けてメモリ４３に格納される。
【００８６】
また、センサ異常と判断された場合には（ステップＳＴ９でＹＥＳ）、血圧算出がされないので、表示部４０に、“センサ異常”のメッセージを表示してもよい。被測定者は、センサ異常であるから、血圧が算出されなかったと確認することができる。
【００８７】
図１１のフローチャートでは、圧力センサの異常が検出された場合には、血圧測定処理は中止される（血圧算出がされない）が、中止せずに継続させて、血圧測定後に表示部４０に、“センサ異常”のメッセージを表示してもよい。
【００８８】
＜図５のカフ圧Ｐ１において圧力センサの異常検出をする場合＞
図１０を参照して、加圧過程における拡張期血圧ＤＩＡよりも低いカフ圧（図５のカフ圧Ｐ１）において圧力センサ異常検出を実施する手順について説明する。カフ圧Ｐ１の値は予めメモリ４２に格納されていると想定する。
【００８９】
図１０では、ステップＳＴ１〜ＳＴ４の処理が図９と同様に行われる。続いて、圧力調整部１１１は、第１圧力センサ３２１から検出されるカフ圧とメモリ４２から読出したカフ圧Ｐ１とを比較しながら、比較結果に基づき、カフ圧が第１圧値（すなわち、カフ圧Ｐ１の値）以上を指示するまで（ステップＳＴ６ａで≧第１圧値）、ポンプ５１を回転して加圧する。その後、ポンプ５１を停止する。これにより、カフ圧が一定に保持される（ステップＳＴ７）。
【００９０】
続いて、安定化検出部１１３４において、前述したカフ圧安定の有無が検出されて、カフ圧は安定しておらず、または加圧時検出部１１３１により圧力センサは異常であると検出されると（ステップＳＴ８、ステップＳＴ９でＹＥＳ）、圧力調整部１１１は弁駆動回路５４に制御信号を出力し、弁５２を全開とする（ステップＳＴ１０）。これにより、カフ２０からは空気が急速に排気されて、一連の処理は終了する。このように、圧力センサの異常が検出された場合には、血圧測定処理は中止される。なお、異常検出の処理（ステップＳＴ８）の詳細は後述する。
【００９１】
カフ圧が安定した状態において、加圧時検出部１１３１が圧力センサは異常なしと判定すると（ステップＳＴ９でＮＯ）、カフ圧が加圧終了圧ＰＥになるまで、加圧過程が継続し、その間に血圧が算出される（ステップＳＴ１１ａ、ＳＴ１２）。
【００９２】
収縮期血圧ＳＹＳ・拡張期血圧ＤＩＡが決定すると（ステップＳＴ１３でＹＥＳ）、図９のステップＳＴ１４〜ＳＴ１６の処理が同様に行われる。
【００９３】
＜図５のカフ圧Ｐ２において圧力センサの異常検出をする場合＞
図１１を参照して、加圧過程における拡張期血圧ＳＹＳよりも高いカフ圧（図５のカフ圧Ｐ２）において圧力センサ異常検出を実施する手順について説明する。カフ圧Ｐ２の値は予めメモリ４２に格納されていると想定する。
【００９４】
図１１では、ステップＳＴ１〜ＳＴ４の処理が図９と同様に行われる。続いて、ポンプ５１が回転してカフ圧が上昇し加圧過程における血圧算出が行われる（ステップＳＴ４ａ〜ＳＴ４ｃ）。血圧値（拡張期血圧ＤＩＡ、収縮期血圧ＳＹＳ）が決定すると、圧力調整部１１１は、第１圧力センサ３２１から検出されるカフ圧とメモリ４２から読出したカフ圧Ｐ２とを比較しながら、比較結果に基づき、カフ圧が第２圧値（すなわち、カフ圧Ｐ２の値）以上を指示するまで（ステップＳＴ６ｂで≧第２圧値）、ポンプ５１を回転させて加圧する。その後、ポンプ５１を停止させて、カフ圧を一定に保持する（ステップＳＴ７）。
【００９５】
続いて、安定化検出部１１３４において、前述したカフ圧安定の有無が検出されて、カフ圧安定しておらず、または加圧時検出部１１３１により圧力センサは異常であると検出されると（ステップＳＴ８、ステップＳＴ９でＹＥＳ）、圧力調整部１１１は弁駆動回路５４に制御信号を出力し、弁５２を全開とする（ステップＳＴ１０）。これにより、カフ２０からは空気が急速に排気されて、一連の処理は終了する。
【００９６】
カフ圧が安定した状態において、加圧時検出部１１３１が圧力センサは異常なしと判定すると（ステップＳＴ９でＮＯ）、図９のステップＳＴ１４〜ＳＴ１６の処理が同様に行われる。
【００９７】
カフ圧Ｐ１とＰ２で異常検出をする場合には、加圧過程および減圧過程のいずれにおいても検出することができる。
【００９８】
＜図５のカフ圧Ｐ３において圧力センサの異常検出をする場合＞
図１２を参照して、減圧過程における収縮期血圧ＳＹＳよりも高いカフ圧（図５のカフ圧Ｐ３）において圧力センサ異常検出を実施する手順について説明する。カフ圧Ｐ３の値は予めメモリ４２に格納されていると想定する。
【００９９】
図１２では、ステップＳＴ１〜ＳＴ７の処理が図９と同様に行われる。続いて、ポンプ５１が停止した状態で、弁５２が開いて、カフ圧は徐々に減じられる減圧過程に移行する。減圧過程において、圧力調整部１１１は、第１圧力センサ３２１から検出されるカフ圧とメモリ４２から読出したカフ圧Ｐ３とを比較しながら、比較結果に基づき、カフ圧が第３圧値（すなわち、カフ圧Ｐ３の値）より大きい値を指示する間は減圧が継続するが、第３圧値以下を指示すると判定すると（ステップＳＴ１１ａで≦第３圧値）、弁５２を閉じてカフ圧を一定に保持する（ステップＳＴ１１ｂ）。
【０１００】
続いて、安定化検出部１１３４において、前述したカフ圧安定の有無が検出されて、カフ圧は安定しておらず、または減圧時検出部１１３２により圧力センサは異常であると検出されると（ステップＳＴ１１ｃ、ステップＳＴ１１ｄでＹＥＳ）、圧力調整部１１１は弁駆動回路５４に制御信号を出力し、弁５２を全開とする（ステップＳＴ１７）。これにより、カフ２０からは空気が急速に排気されて、一連の処理は終了する。このように、圧力センサの異常が検出された場合には、血圧測定処理は中止される。なお、異常検出の処理（ステップＳＴ１１ｃ）の詳細は後述する。
【０１０１】
カフ圧が安定した状態において、減圧時検出部１１３２が圧力センサは異常なしと判定すると（ステップＳＴ１１ｄでＮＯ）、徐々に排気が進行する減圧過程が継続し、その間に血圧が算出される（ステップＳＴ１１ｅ、ＳＴ１２）。
【０１０２】
収縮期血圧ＳＹＳ・拡張期血圧ＤＩＡが決定すると（ステップＳＴ１３でＹＥＳ）、図９のステップＳＴ１４〜ＳＴ１６と同様の処理が行われる。
【０１０３】
＜図５のカフ圧Ｐ４において圧力センサの異常検出をする場合＞
図１３を参照して、減圧過程における拡張期血圧ＤＩＡよりも低いカフ圧（図５のカフ圧Ｐ４）において圧力センサ異常検出を実施する手順について説明する。カフ圧Ｐ４の値は予めメモリ４２に格納されていると想定する。
【０１０４】
図１３では、ステップＳＴ１〜ＳＴ７の処理が図１２と同様に行われる。続いて、ポンプ５１を停止させた状態で弁５２を開き減圧過程に移る。減圧過程では、血圧算出が行われる（ステップＳＴ７ａ〜ＳＴ７ｃ）。血圧値（拡張期血圧ＤＩＡ、収縮期血圧ＳＹＳ）が決定すると、圧力調整部１１１は、第１圧力センサ３２１から検出されるカフ圧とメモリ４２から読出したカフ圧Ｐ４とを比較しながら、比較結果に基づき、カフ圧が第４圧値（すなわち、カフ圧Ｐ４の値）以下を指示するまで（ステップＳＴ１１ｂで≦第４圧値）減圧する。その後、弁５１が閉じて、カフ圧を一定に保持する（ステップＳ１１ｂ）。
【０１０５】
続いて、安定化検出部１１３４によって、前述したカフ圧安定の有無が検出されて、カフ圧が安定しておらず、または減圧時検出部１１３２により圧力センサは異常であると検出されると（ステップＳＴ１１ｃ、ステップＳＴ１１ｄでＹＥＳ）、圧力調整部１１１は弁駆動回路５４に制御信号を出力し、弁５２を全開とする（ステップＳＴ１７）。これにより、カフ２０からは空気が急速に排気されて、一連の処理は終了する。
【０１０６】
カフ圧が安定した状態において、減圧時検出部１１３２が圧力センサは異常なしと判定すると（ステップＳＴ１１でＮＯ）、図９のステップＳＴ１４〜ＳＴ１６の処理が同様に行われる。
【０１０７】
このように、血圧測定における加圧過程、移行期間および減圧過程の少なくも１つ以上のタイミング（図５のカフ圧Ｐ１〜Ｐ４のタイミングを含む）において、圧力センサの異常を検出するので、別途、異常検出の工程を設ける必要がない。
【０１０８】
また、異常検出は、加圧・減圧過程であるとしてもカフ圧を一定に保持した状態で行われるので、比較的に高い検出精度を得ることができる。
【０１０９】
図１４には、加圧過程および減圧過程（ただし、血圧値算出前）、すなわち図５のカフ圧Ｐ１、Ｐ２およびＰ３におけるセンサ異常検出の処理（ステップＳＴ８、ＳＴ１１ｃ）のフローチャートが示される。
【０１１０】
まず、安定化検出部１１３４は、第１および第２圧力センサ３２１および３２２から、所定時間間隔毎に、すなわち複数のタイミングにおいてカフ圧値を検出する（ステップＳＴ２０、ＳＴ２１）。そして、検出された各タイミングにおいて検出された各圧力センサの圧力差を検出し、検出した差分を比較する（ステップＳＴ２３）。比較結果、差分どうしの差が閾値αの範囲に属するか属さないかを判定する（ステップＳＴ２５）。
【０１１１】
判定結果、図７（Ｂ）に示されるように差分どうしの差が閾値αの値を指示すると検出されると（ステップＳＴ２５でＹＥＳ）、異常検出部１１３７により、各圧力差が、基準値βよりも大きいか否かを検出する（ステップＳＴ２７）。基準値βよりも大きいと検出されると、圧力センサは異常であると判定するが、そうでないと異常ではないと判定される。
【０１１２】
一方、差分どうしの差が閾値αの値を指示しないと検出されると（ステップＳＴ２５でＮＯ）、再加圧要求部１１３５は、圧力調整部１１１に再加圧の要求信号を出力する（ステップＳＴ２９）。圧力調整部１１１は、要求に応答して、カフ圧が所定圧だけ上昇するようにポンプ５１を回転させる（ステップＳＴ３１、ＳＴ３３）。このような再加圧後に、ステップＳＴ２０の処理に戻り、以降の処理が繰返される。
【０１１３】
このように、体動・脈などに起因してカフ圧安定期間を検出できないために圧力センサの異常検出ができない場合には、再度、カフ圧を加圧または減圧させることで体動・脈などの外乱が入るのを防止可能な状態にし、その後に、カフ圧の安定の検出と圧力センサの異常検出とを再度、行うことができる。
【０１１４】
図１５には、減圧過程（ただし、血圧値算出後）、すなわち図５のカフ圧Ｐ４におけるセンサ異常検出の処理（ステップＳＴ１１ｃ）のフローチャートが示される。
【０１１５】
まず、安定化検出部１１３４と異常検出部１１３７は、図１４と同様に、ステップＳＴ２０〜ＳＴ２７の処理を行う。
【０１１６】
図７（Ｂ）に示されるように上述の差分どうしの差が閾値αの値を指示すると検出されると（ステップＳＴ２５でＮＯ）、再検出部１１３６は、圧力調整部１１１に減圧の要求信号を出力する（ステップＳＴ３５）。圧力調整部１１１は、要求に応答して、カフ圧が所定圧だけ減少するように弁５２を開く（ステップＳＴ３５、ＳＴ３７）。このような減圧後に、ステップＳＴ２０の処理に戻り、以降の処理が繰返される。
【０１１７】
このように、体動・脈などに起因してカフ圧安定期間を検出できないために圧力センサの異常検出ができない場合には、カフ圧を減少させることで体動・脈などの外乱が入るのを防止可能な状態にし、その後に、カフ圧の安定の検出と圧力センサの異常検出とを再度、行うことができる。
【０１１８】
（表示例）
図１６には、表示部４０における圧力センサの異常検出結果の表示例が示される。上述した各フローチャートでは、圧力センサの異常が検出された場合には、算出される血圧値はメモリ４３に格納されていないが、異常検出の結果と関連付けて格納されるようにしてもよい。その場合には、血圧測定値の表示とともに、圧力センサの異常の検出結果も表示がされる。
【０１１９】
図１６では、表示処理部１１５はセンサ異常検出部１１３の検出結果に基づき、第１および第２圧力センサ３２１および３２２が正常であれば、“ＮＧ”の文字は消灯させて“ＯＫ”の文字のみを点灯させる。検出結果が異常を指示するならば“ＯＫ”の文字は消灯させて“ＮＧ”の文字を点灯する。したがって、正常の場合には正常であることを報知する機能を有する。
【０１２０】
表示仕様として、測定開始時に正常を示す文字（“ＯＫ”）が表示またはランプが点灯し、圧力センサに異常を検出した場合には、文字の点滅またはランプの点滅により報知するようにしてもよい。これにより、通常は正常であることが報知されて、異常検出がされたときに報知態様は、異常を指す態様に変更される。
【０１２１】
表示においては、タイマ４５によって計時された測定時間のデータ４０２と、血圧測定の結果である収縮期血圧ＳＹＳのデータ４０３と、拡張期血圧ＤＩＡのデータ４０４と、脈拍数のデータ４０５とが、圧力センサ異常検出の“ＮＧ”/“ＯＫ”の表示とともに、表示される。
【０１２２】
被測定者は、このような表示を確認することで、圧力センサの校正を製造者に依頼するタイミングを得ることができる。したがって、圧力センサが異常であるのを気付かないままに血圧測定をすることが回避されて、血圧測定値の信頼性を向上させることができる。
【０１２３】
なお、実施の形態では、電子血圧計１は、据置型でありカフ２０が上腕部に巻付けられるとしているが、図１７のように、カフ２０と本体部１０が一体的に構成されており、カフ２０を手首に巻付ける手首式電子血圧計であっても同様に適用することができる。
【０１２４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２５】
１  電子血圧計、３２１  第１圧力センサ、３２２  第２圧力センサ、３３１  第１発振回路、３３２  第２発振回路、１１２  血圧算出部、１１３  センサ異常検出部。
【図１】
2011092512.tif 000003
【図２】
2011092512.tif 000004
【図３】
2011092512.tif 000005
【図４】
2011092512.tif 000006
【図５】
2011092512.tif 000007
【図６】
2011092512.tif 000008
【図７】
2011092512.tif 000009
【図８】
2011092512.tif 000010
【図９】
2011092512.tif 000011
【図１０】
2011092512.tif 000012
【図１１】
2011092512.tif 000013
【図１２】
2011092512.tif 000014
【図１３】
2011092512.tif 000015
【図１４】
2011092512.tif 000016
【図１５】
2011092512.tif 000017
【図１６】
2011092512.tif 000018
【図１７】
2011092512.tif 000019